(57)【特許請求の範囲】
【請求項１】
配線ダクトに電気的及び機械的に接続して取付ける接続プラグから支柱を垂下し、支柱の下端に接続角度を自在に変更する接続角度自在器を介して灯具のような器具を接続する器具吊下げ装置であって、灯具のような器具から一対の取付腕が突設され、接続角度自在器は、一対の上記取付腕の間に配されるとともに支柱の下端に取付けられた摩擦体と、この摩擦体の一側面に摺接して接続角度を変更するための摺接体と、一対の取付腕、摩擦体及び摺接体を固定する締め付けねじ手段とから構成され、摺接体に摺接する一方の取付腕に円弧孔が形成され、円弧孔に挿通した固定具が摺接体に固定されて成ることを特徴とする器具吊下げ装置。
【発明の詳細な説明】
【０００１】
【発明の属する技術分野】
本発明は、主として照明器具を吊下げる器具吊下げ装置に関し、詳しくは、配線ダクトに電気的及び機械的に灯具のような器具を接続して取付けるのに、その接続角度を自在に変更する接続角度自在器を介しておこなわれる器具吊下げ装置に関し、更に詳しくは、地震等による揺動により、配線ダクト及び接続プラグの電気的及び機械的接続部分等が損傷されるのを回避しようとする技術に係るものである。
【０００２】
【従来の技術】
従来、この種の配線器具を吊下げる装置は、図３に示すように、配線ダクト１に電気的及び機械的に接続して取付ける接続プラグ２から支柱３を垂下し、支柱３の下端に接続角度を自在に変更する接続角度自在器４を介して灯具のような器具５を接続するものであり、この接続角度自在器４によって、灯具のような器具５の角度を任意の角度に設定するものである。
【０００３】
そのための構成は、灯具のような器具５から一対の取付腕６，６が突設され、接続角度自在器４は、一対の上記取付腕６，６の間に配されるとともに支柱３の下端に取付けられた摩擦体７と、この摩擦体７の一側面に摺接して接続角度を変更するための摺接体８と、一対の取付腕６，６、摩擦体７及び摺接体８に挿通されて固定する締め付けねじ手段１２とから構成され、摩擦体７と摺接体８とは爪係合がおこなわれるラチェット部１１を備え、かつ、一方の取付腕６を摺接体８に固定する固定具１０を備えているものである。
【０００４】
しかして、一対の取付腕６，６間に、支柱３の下端に接続された摩擦体７及び摺接体８を配し、一方の取付腕６の固定孔９ａに固定具１０を挿通して摺接体８にねじ込に、取付腕６と摺接体８とを固定し、支柱３側の摩擦体７に対して灯具のような器具５側の摺接体８を相対回動させ、摩擦体７と摺接体８とのラチェット部１１において相対位置を決め、一方の取付腕６、摺接体８、摩擦体７及び他方の取付腕６に締め付けねじ手段１２を挿通して、四者を締め付け固定するものである。
【０００５】
【発明が解決しようとする課題】
ところが、このような構成においては、取付腕６と摺接体８とは固定具１０にて一体化されていて、灯具のような器具５を所定の角度で傾けて保持している場合に、地震等で灯具のような器具５が大きく揺れ、その揺動荷重が接続プラグ２と配線ダクト１との電気的及び機械的な接続箇所に波及し、この箇所を損傷し、破壊することがあるという問題があった。
【０００６】
本発明はこのような問題を解消しようとするものであり、その目的とするところは、簡単な改良により、地震等による揺動時に、配線ダクト及び接続プラグの電気的及び機械的接続部分等が損傷されるのを回避することができる照明器具を提供することを課題とする。
【０００７】
【課題を解決するための手段】
請求項１の発明においては、配線ダクト１に電気的及び機械的に接続して取付ける接続プラグ２から支柱３を垂下し、支柱３の下端に接続角度を自在に変更する接続角度自在器４を介して灯具のような器具５を接続する器具吊下げ装置であって、灯具のような器具５から一対の取付腕６，６が突設され、接続角度自在器４は、一対の上記取付腕６，６の間に配されるとともに支柱３の下端に取付けられた摩擦体７と、この摩擦体７の一側面に摺接して接続角度を変更するための摺接体８と、一対の取付腕６，６、摩擦体７及び摺接体８を固定する締め付けねじ手段１２とから構成され、摺接体８に摺接する一方の取付腕６に円弧孔９が形成され、円弧孔９に挿通した固定具１０が摺接体８に固定されて成ることを特徴とするものである。
【０００８】
請求項１の構成においては、一方の取付腕６、摺接体８、摩擦体７及び他方の取付腕６の四者を締め付けねじ手段１２で固定して、灯具のような器具５を所望の角度に傾けた状態で吊下げ保持している場合に、地震等の揺れにて灯具のような器具５が大きく揺れる際に、灯具のような器具５側の取付腕６と摺接体８とは、円弧孔９の範囲内で相対回転が許容され、灯具のような器具５が支柱３に対して回動でき、灯具のような器具５が揺れようとする荷重が接続プラグ２と配線ダクト１との接続箇所に直接波及するのを軽減することができ、接続プラグ２と配線ダクト１との電気的及び機械的な接続箇所を損傷するのを回避することができる。
【０００９】
【発明の実施の形態】
図１（ａ）は、本発明の器具吊下げ装置の全体斜視図を示し、同図（ｂ）は分解斜視図を示し、図２は要部の概略断面図を示している。
配線ダクト１は例えば、合成樹脂成製のダクト本体１３の内部に導電体１４がレール状に敷設され、接続プラグ２側の受電部１５を導電体１４に電気的に接続し、また、接続プラグ２側の機械的接続部１６をダクト本体１３の受部に機械的に接続して、接続プラグ２を配線ダクト１の長さ方向の任意の位置に吊下げることができるようにしている。
【００１０】
接続プラグ２から支柱３が垂下され、支柱３の下端に接続角度を自在に変更する接続角度自在器４を介して灯具のような器具５を吊下げ保持することができるようにしている。以下、その構成を詳述する。
灯具のような器具５から一対の取付腕６，６が突設されている。接続角度自在器４は、一対の上記取付腕６，６の間に配されるとともに支柱３の下端に取付けられた摩擦体７と、この摩擦体７の一側面に摺接して接続角度を変更するための摺接体８と、一対の取付腕６，６、摩擦体７及び摺接体８に挿通されて固定する締め付けねじ手段１２とから構成されている。締め付けねじ手段１２は、ねじ棒１７を備えた左右の摘み２０ａ，２０ｂで構成されている。摩擦体７と摺接体８とは例えば、合成樹脂製であり、爪係合がおこなわれるラチェット部１１が形成されている。一方の摘み２０ａには溝２１が穿設されている。
【００１１】
摺接体８に当接する一方の取付腕６に円弧孔９が形成され、円弧孔９に挿通した固定具１０としてのネジが摺接体８に螺合され、摺接体８と取付腕６とが一体化されているのである。図中１９は吊り紐、２２はスペーサーである。
しかして、灯具のような器具５側の取付腕６，６を支柱３の下端の摩擦体７及び摺接体８の外部に配し、一方の取付腕６の円弧孔９に固定具１０としてのネジを挿通して摺接体８のネジ孔にねじ込んで一方の取付腕６に摺接体８を連結し、一方の摘み２０ａのねじ棒１７を取付腕６の通孔に挿通するとともに摺接体８のネジ孔に螺合し、また、他方の摘み２０ｂをスペーサー２２を介して他方の取付腕６の通孔に挿通し、ねじ棒１７を摩擦体７のネジ孔に螺合するのである。この場合、支柱３側の摩擦体７に対して摺接体８が、その間のラチェット部１１において所望の角度に回動されて、灯具のような器具５を所望の角度に固定するのである。固定具１０としてのネジは摘み２０ａの溝２１内に入っている。スペーサー２２によって、摘み２０ｂと取付腕６の間、取付腕６と摩擦体７との間にはクリアランスが構成されている。また、ねじ棒１７と摺接体８の通孔の間にもクリアランスが形成されている。この場合、スペーサー２２は摘み２０ｂに一体に形成してもよい。また、ねじ棒１７は摩擦体７側に設けておいてもよい。そして、摩擦体７と摺接体８とはラチェット形態以外の構成にしてもよいものである。このように実施の形態は種々設計変更可能である。
【００１２】
このように、灯具のような器具５を所望の角度に傾けた状態で吊下げ保持している場合に、地震等の揺れにて灯具のような器具５が大きく揺れる際に、灯具のような器具５側の取付腕６と摺接体８とは、円弧孔９の範囲内で相対回転が許容され、灯具のような器具５が支柱３に対して回動でき、灯具のような器具５が揺れようとする荷重が接続プラグ２と配線ダクト１との接続箇所に直接波及するのを軽減することができ、接続プラグ２と配線ダクト１との電気的及び機械的な接続箇所を損傷するのを回避することができるのである。
【００１３】
この場合、摩擦体７と摺接体８とは爪係合がおこなわれるラチェット部１１の損傷も回避することができるのである。
【００１４】
【発明の効果】
請求項１の発明においては、灯具のような器具から一対の取付腕が突設され、接続角度自在器は、一対の上記取付腕の間に配されるとともに支柱の下端に取付けられた摩擦体と、この摩擦体の一側面に摺接して接続角度を変更するための摺接体と、一対の取付腕、摩擦体及び摺接体を固定する締め付けねじ手段とから構成され、摺接体に摺接する一方の取付腕に円弧孔が形成され、円弧孔に挿通した固定具が摺接体に螺合されているから、一方の取付腕、摺接体、摩擦体及び他方の取付腕の四者を締め付けねじ手段で固定して、灯具のような器具を所望の角度に傾けた状態で吊下げ保持している場合に、地震等の揺れにて灯具のような器具が大きく揺れる際に、灯具のような器具側の取付腕と摺接体とは、円弧孔の範囲内で相対回転が許容され、灯具のような器具が支柱に対して回動でき、灯具のような器具が揺れようとする荷重が接続プラグと配線ダクトとの接続箇所に直接波及するのを軽減することができ、接続プラグと配線ダクトとの電気的及び機械的な接続箇所を損傷するのを回避することができるという利点がある。
【図面の簡単な説明】
【図１】本発明の実施の一形態を示し、（ａ）は全体斜視図、（ｂ）は分解斜視図である。
【図２】概略断面図である。
【図３】従来例の分解斜視図である。
【符号の説明】
１  配線ダクト
２  接続プラグ
３  支柱
４  接続角度自在器
５  灯具のような器具
６  取付腕
７  摩擦体
８  摺接体
９  円弧孔
１０  固定具
１１  ラチェット部
１２  締め付けねじ手段
【図１】
0003716521.tif 000002
【図２】
0003716521.tif 000003
【図３】
0003716521.tif 000004